(57)【特許請求の範囲】
【請求項１】
ペースト肥料を側条施肥する施肥装置と、多条植え用の複数の植付爪の一部を停止させるユニットクラッチレバーと、多条側条施肥用の前記施肥装置の施肥条止めバルブを切換える施肥条止めレバーとを備え、
多条植え用の植付部及び前記施肥装置を備えた走行車の一側方に、前記ユニットクラッチレバーと、前記施肥条止めレバーと、前記施肥条止めバルブとを配置し、
前記ユニットクラッチレバー及び前記施肥条止めレバーと反対側の前記走行車の他側方に、前記ペースト肥料を入れるための肥料タンクと、前記肥料タンクから前記ペースト肥料を送出す施肥ポンプとを配置してなる田植機の施肥装置において、
前記走行車に搭載したミッションケースの左右のうち一側に植付駆動用ＰＴＯケースを配置し、他側に施肥駆動用ＰＴＯケースを配置し、
前記ミッションケースの一側の前記植付駆動用ＰＴＯケースから植付出力軸を介して前記植付部に駆動力を伝達するように構成し、
前記ミッションケースの他側の施肥駆動用ＰＴＯケースから施肥出力軸を介して前記施肥ポンプに駆動力を伝達するように構成したことを特徴とする田植機の施肥装置。
【発明の詳細な説明】
【０００１】
【発明の属する技術分野】
本発明は田植機による植付作業中に苗植付条の側方にペースト肥料の側条施肥を行う田植機の施肥装置に関する。
【０００２】
【発明が解決しようとする課題】
従来、ユニットクラッチレバーは苗載台の裏面など植付部側に配置させ、また施肥条止めレバーは走行本機側で本機センターに対して一側方に配置させた構成となっていて、ユニットクラッチを切操作したときには、対応する条止めレバーも同時に切操作する必要がある。しかし乍ら切操作する条によっては、例えばオペレータが座席の左側に身体を捻ってユニットクラッチレバーを切操作し、その後座席の右側に身体を捻って施肥条止めレバーを切操作するなどの操作の煩わしさがあり、操作性が悪く誤操作をするおそれがあった。
【０００３】
【課題を解決するための手段】
請求項１に係る発明は、ペースト肥料を側条施肥する施肥装置と、多条植え用の複数の植付爪の一部を停止させるユニットクラッチレバーと、多条側条施肥用の前記施肥装置の施肥条止めバルブを切換える施肥条止めレバーとを備え、多条植え用の植付部及び前記施肥装置を備えた走行車の一側方に、前記ユニットクラッチレバーと、前記施肥条止めレバーと、前記施肥条止めバルブとを配置し、前記ユニットクラッチレバー及び前記施肥条止めレバーと反対側の前記走行車の他側方に、前記ペースト肥料を入れるための肥料タンクと、前記肥料タンクから前記ペースト肥料を送出す施肥ポンプとを配置してなる田植機の施肥装置において、前記走行車に搭載したミッションケースの左右のうち一側に植付駆動用ＰＴＯケースを配置し、他側に施肥駆動用ＰＴＯケースを配置し、前記ミッションケースの一側の前記植付駆動用ＰＴＯケースから植付出力軸を介して前記植付部に駆動力を伝達するように構成し、前記ミッションケースの他側の施肥駆動用ＰＴＯケースから施肥出力軸を介して前記施肥ポンプに駆動力を伝達するように構成したものである。
【０００４】
【０００５】
【０００６】
【０００７】
【発明の実施の形態】
以下、本発明の実施例を図面に基づいて詳述する。図１は乗用田植機の側面図、図２は同平面図を示し、図中１は作業者が搭乗する走行車であり、エンジン２を車体フレーム３に搭載させ、前後方向に長手状のミッションケース４前方にフロントアクスルケース５を介して水田走行用前輪６を支持させると共に、前記ミッションケース４後部のリヤアクスルケース７に水田走行用後輪８を支持させる。そして前記エンジン２等を覆うボンネット９両側に予備苗載台１０を取付けると共に、作業者が搭乗する車体カバー１１によって前記ミッションケース４等を覆い、前記車体カバー１１後側の運転台１２上面に運転席１３を取付け、その運転席１３の前方で前記ボンネット９後部に操向ハンドル１４を設ける。
【０００８】
また、図中１５は４条植え用の苗載台１６並びに複数の苗植付爪１７などを具備する植付部であり、前高後低の合成樹脂製の前傾式苗載台１６を下部レール１８及びガイドレール１９を介して植付フレーム２０に左右往復摺動自在に支持させると共に、一方向に等速回転させるロータリケース２１を前記植付フレーム２０に支持させ、該ケース２１の回転軸芯を中心に対称位置に一対の爪ケース２２・２２を配設し、その爪ケース２２・２２先端に苗植付爪１７・１７を取付ける。また前記植付フレーム２０の左右両端側に左右サイドフレーム２３・２３を立設させて苗載台１６を支持させ、植付フレーム２０左右中央のヒッチブラケット２４をトップリンク２５及びロワーリンク２６を含む昇降リンク機構２７を介し走行車１に連結させ、走行車１に設ける油圧昇降シリンダ２８をロワーリンク２６に連結させ、該昇降シリンダ２８の駆動時にリンク機構２７を介し植付部１５を昇降させると共に、植付部１５の下降時には左右に往復摺動させる苗載台１６から一株分の苗を植付爪１７によって取出し、連続的に苗植え作業を行うように構成する。
【０００９】
また、図中２９は主変速レバー、３０は機体の搭乗位置は勿論のこと機体から降りた位置で走行停止などの操作を可能とさせる苗継ぎレバー、３１は植付昇降・植付けの入切など行う植付操作レバー、３２は植付感度調節レバー、３３は油圧ストップレバーである植付昇降ストップレバー、３４は主クラッチペダル、３５・３５は左右ブレーキペダル、３６は２条分均平用センタフロート、３７は１条分均平用サイドフロート、３８は４条用ペースト施肥装置である。
【００１０】
図３乃至図１０に示す如く、前記ペースト施肥装置３８は、ペースト肥料を貯留する施肥タンク４０と、該タンク４０内のペースト肥料を送出する４条用４つのスクリュ形施肥ポンプ４１と、このポンプ４１の変速を切換レバー４２によって行う変速ケース４３と、センタ及びサイドフロート３６・３７に装備させる４条用４つの施肥パイプ４４毎への肥料供給を停止させる４条用条止めバルブ４５と、各条止めバルブ４５を操作する各条止めレバー４６とを備え、平面視略長方形の施肥タンク４０を本機後側となる運転席１３より後方で機体中心より左側方に左右長手に配置させ、機体中心より右側方で施肥タンク４０の右延長方向に苗植付爪１７の駆動及び苗載台１６上の苗の縦送りを停止させるユニットクラッチレバー４７と前記条止めレバー４６を配置させている。
【００１１】
また、前記施肥タンク４０は背面視逆門形状のタンクフレーム４８に左右長手両端をボルト４９止め固定させ、車体フレーム３後部の門形状支柱フレーム５０にパイプフレーム５１などを介しタンクフレーム４８を連結させると共に、前記変速ケース４３と施肥ポンプ４１及びこの駆動ケース５２を固設するケース取付板５３をパイプフレーム５４など介し支柱フレーム５０に連結させるもので、施肥タンク４０上面に肥料供給口５５と肥料残量センサ５６を有し、タンク４０の左側下方に施肥ポンプ４１を、タンク４０の右側下方に変速ケース４３を配置させている。
【００１２】
そして前記施肥タンク４０下面の肥料排出口５７と各ポンプ４１間をタンクホース５８で、また各ポンプ４１の吐出口５９と条止めバルブ４５の入口６０間を各吐出ホース６１で、さらに各条止めバルブ４５の出口６２と各施肥パイプ４４の肥料供給口６３間を肥料供給ホース６４でそれぞれ連通接続させて、施肥タンク４０内のペースト肥料を施肥ポンプ４１によって施肥パイプ４４に供給して苗植付条の側条深層或いは根圏部に強制施肥するように構成している。
【００１３】
前記施肥ポンプ４１の駆動は、エンジン２と無段変速装置６５を介し連結するミッションケース４前側の左ＰＴＯケース６６から後方に延出させる施肥出力軸６７より得るもので、変速ケース４３の下方位置まで施肥出力軸６７の後端を延出させ、駆動ケース５２右側の下方に延設する入力ケース６８下部の施肥伝達軸６９前端に自在継手７０を介し施肥出力軸６７後端を連結させ、変速ケース４３の後入力軸７１にスプロケット７２・７３及びチェン７４を介し施肥伝達軸６９後端を連結させている。
【００１４】
また、前記施肥ポンプ４１は２条分を１つのポンプユニット７５とし、左右２つのポンプユニット７５を取付板５３にボルト７６止め固定させたもので、１つのポンプユニット７５の左右２つの施肥ポンプ４１の後駆動軸７７間をスプロケット７８・７８及びチェン７９で連動連結させ、左右ポンプユニット７５の右・左駆動軸７７間をスプロケット８０・８０及びチェン８１で連結させると共に、右ポンプユニット７５の右駆動軸７７に変速ケース４３後左側の変速出力軸８２をスプロケット８３・８４及びチェン８５を介し連動連結させて、前記施肥出力軸６７の回転力を変速自在に施肥ポンプ４１に伝達して肥料吐出量を調節自在とするポンプ４１の駆動を行うように構成している。なお、前記ミッションケース４前右側の右ＰＴＯケース８６からは植付出力軸８７を後方に延出させて植付部１５に駆動力を伝達させている。
【００１５】
さらに、前記ユニットクラッチレバー４７は条止めバルブ４５の一側近傍（実施例では右側近傍）に左右２つ配設させ、各１つのレバー４７によって２条分の苗植付爪１７及び苗載台１６の苗縦送りベルト１６ａの駆動を停止させるもので、ユニットクラッチレバー４７をレバーケース８８より前方に突出させ、レバーケース８８の後面をパイプフレーム８９を介して前記支柱フレーム５０に連結支持させている。
【００１６】
また、前記ポンプユニット７５とこの上方の施肥タンク４０との間に施肥ポンプ４１及び条止めバルブ４５の余剰肥料をタンク４０に戻す還元ホース９０を配置させると共に、ポンプユニット７５の下方に施肥ポンプ４１を介しタンクホース５８に連通接続させる排出管９１を左外側に下り勾配に配設させ、排出管９１の左端に接続させる蛇腹付排出ホース９２の排出口９２ａをタンクフレーム４８左側のステー９３に固設するＵ字形止め金９４に取外し自在に係合保持させ、排出口９２ａを止め金９４より取外し排出管９１より下位置で下向きとさせるとき施肥タンク４０内の残留肥料を流下排出させるように構成している。
【００１７】
上記からも明らかなように、ペースト肥料の側条施肥を行う施肥装置３８と、苗載台１６複数条の植付けを停止させるユニットクラッチレバー４７と、施肥を停止させる施肥条止めレバー４６を備えた田植機の施肥装置において、ユニットクラッチレバー４７と施肥条止めレバー４６を機体中心に対して一側方に配置させたことによって、ユニットクラッチレバー４７及び施肥条止めレバー４６の操作時には身体を反転させるなどの煩わしさなく、同一姿勢を保ったままで容易にこれらレバー４６・４７の正確な操作を行って操作性を向上させることができる。
【００１８】
また、ユニットクラッチレバー４７と施肥条止めレバー４６を走行本機側に設けたことによって、本機側の運転席１３位置よりユニットクラッチレバー４７及び施肥条止めレバー４６をオペレータは同一姿勢を保って容易に操作可能とさせて、操作性を一層向上させることができる。
【００１９】
さらに、機体中心に対してユニットクラッチレバー４７と施肥条止めレバー４６とは反対側の他側方に肥料タンクである施肥タンク４０を配置させたことによって、ユニットクラッチレバー４７及び施肥条止めレバー４６の設置或いは操作に肥料タンク４０を障害とさせることなく良好に配置させて、レバー４６・４７設置時の自由度とレバー４６・４７による操作性の向上を図ることができる。
【００２０】
また、機体中心に対するユニットクラッチレバー４７と施肥条止めレバー４６の同一配置側に本機側操作レバー３１・３２・３３を配置させたことによって、植付部１５の昇降・植付クラッチの入切など行う各種操作レバーである植付操作レバー３１・植付感度調節レバー３２・植付昇降ストップレバー３３とユニットクラッチ及び施肥条止めレバー４７・４６など各種レバーを機体一側に集中させ、操作性を向上させることができる。
【００２１】
【発明の効果】
以上実施例から明らかなように、請求項１に係る発明は、ペースト肥料を側条施肥する施肥装置３８と、多条植え用の複数の植付爪１７の一部を停止させるユニットクラッチレバー４７と、多条側条施肥用の施肥装置３８の施肥条止めバルブ４５を切換える施肥条止めレバー４６とを備え、多条植え用の植付部１５及び施肥装置３８を備えた走行車１の一側方に、ユニットクラッチレバー４７と、施肥条止めレバー４６と、施肥条止めバルブ４５とを配置し、ユニットクラッチレバー４７及び施肥条止めレバー４６と反対側の走行車１の他側方に、ペースト肥料を入れるための肥料タンク４０と、肥料タンク４０からペースト肥料を送出す施肥ポンプ４１とを配置してなる田植機の施肥装置において、走行車１に搭載したミッションケース４の左右のうち一側に植付駆動用ＰＴＯケース８６を配置し、他側に施肥駆動用ＰＴＯケース６６を配置し、ミッションケース４の一側の植付駆動用ＰＴＯケース８６から植付出力軸８７を介して植付部１５に駆動力を伝達するように構成し、ミッションケース４の他側の施肥駆動用ＰＴＯケース６６から施肥出力軸６７を介して施肥ポンプ４１に駆動力を伝達するように構成したものであるから、ユニットクラッチレバー４７及び施肥条止めレバー４６の操作性等を向上させるものである。
【００２２】
【００２３】
【００２４】
【図面の簡単な説明】
【図１】田植機の全体側面図である。
【図２】田植機の全体平面図である。
【図３】車体フレーム部の平面説明図である。
【図４】車体フレーム部の側面説明図である。
【図５】施肥タンク部の背面説明図である。
【図６】肥料供給部の平面説明図である。
【図７】施肥ポンプ部の側面説明図である。
【図８】施肥ポンプ部の背面説明図である。
【図９】施肥パイプ部の側面説明図である。
【図１０】施肥供給系路の説明図である。
【符号の説明】
１ 走行車
４ ミッションケース
１５ 植付部
１７植付爪
３８ 施肥装置
４０ 施肥タンク（肥料タンク）
４１ 施肥ポンプ
４５ 条止めバルブ
４６ 条止めレバー
４７ ユニットクラッチレバー
６６ 左ＰＴＯケース
６７ 施肥出力軸
８６ 右ＰＴＯケース
８７ 植付出力軸
【図１】
0003971230.tif 000002
【図２】
0003971230.tif 000003
【図３】
0003971230.tif 000004
【図４】
0003971230.tif 000005
【図５】
0003971230.tif 000006
【図６】
0003971230.tif 000007
【図７】
0003971230.tif 000008
【図８】
0003971230.tif 000009
【図９】
0003971230.tif 000010
【図１０】
0003971230.tif 000011